(57)【要約】【課題】ビデオ画面にＯＳＤ画面を重畳した映像の表示中に焼き付き現象の発生を好適に防止する。【解決手段】ビデオ画面にＯＳＤ画面を重畳して表示する際に、ＯＳＤ画面を表示する位置を適宜移動させることにより、ＯＳＤ画面のメニュー背景領域や、ニューの背景領域とメニューの文言との境界部分における焼き付き現象の発生を防止するようにしている。例えば、ＯＳＤ画面を表示する毎に、１画素ずつ移動させてＯＳＤ画面を表示する。ＯＳＤ画面の表示位置の移動は、ＯＳＤ表示位置制御部２１５が指示することにより実現できる。【選択図】  図５
2013044913.tif 000002
【特許請求の範囲】
【請求項１】
表示パネルと、
入力映像に基づいて前記表示パネルに表示する映像信号を生成する映像信号生成部と、
前記表示パネルへのＯＳＤ画面の表示を制御するＯＳＤ画面表示制御部と、
前記映像信号生成部が生成した画面に前記ＯＳＤ画面を合成する画像合成部と、
前記画像合成部からの出力画像を前記表示パネルに表示させる表示制御部と、
を具備し、
前記ＯＳＤ画面表示制御部は、所定時間毎に前記ＯＳＤ画面の表示位置を所定の間隔で移動させる、
表示装置。
【請求項２】
前記ＯＳＤ画面表示制御部は、前記表示パネルで表示する画面をリフレッシュする度に、前記ＯＳＤ画面の表示位置を特定の軌跡に基づいて１画素ずつ移動させる、
請求項１に記載の表示装置。
【請求項３】
ユーザー操作部をさらに備え、
前記ＯＳＤ画面表示制御部は、前記ユーザー操作部が操作されたことに応答して、前記ＯＳＤ画面の表示を制御する、
請求項１に記載の表示装置。
【請求項４】
左眼用及び右眼用の前記表示パネルを備え、
前記映像信号生成部は、入力映像に基づいて左眼用及び右眼用の前記表示パネルに表示する映像信号を生成し、
前記画像合成部は、前記映像信号生成部が生成した左眼用及び右眼用の画面に前記ＯＳＤ画面をそれぞれ合成し、
前記表示制御部は、前記画像合成部からの合成画像を左眼用及び右眼用の前記表示パネルに表示させる、
請求項１に記載の表示装置。
【請求項５】
入力映像に基づいて表示パネルに表示する映像信号を生成する映像信号生成ステップと、
前記表示パネルへのＯＳＤ画面の表示を制御するＯＳＤ画面表示制御ステップと、
前記映像信号生成ステップにおいて生成した画面に前記ＯＳＤ画面を合成する画像合成ステップと、
前記画像合成ステップで出力される画像を前記表示パネルに表示させる表示制御ステップと、
を有し、
前記ＯＳＤ画面表示制御ステップでは、所定時間毎に前記ＯＳＤ画面の表示位置を所定の間隔で移動させる、
表示制御方法。
【請求項６】
前記ＯＳＤ画面表示制御ステップでは、前記表示パネルで表示する画面をリフレッシュする度に、前記ＯＳＤ画面の表示位置を特定の軌跡に基づいて１画素ずつ移動させる、
請求項５に記載の表示制御方法。
【請求項７】
ユーザーから所定の操作が行なわれたことに応答して、前記ＯＳＤ画面表示制御ステップによる処理が開始される、
請求項５に記載の表示制御方法。
【請求項８】
前記表示パネルは、左眼用表示パネル及び右眼用表示パネルを含み、
前記映像信号生成ステップでは、入力映像に基づいて左眼用及び右眼用の前記表示パネルに表示する映像信号を生成し、
前記画像合成ステップは、前記映像信号生成ステップにより生成した左眼用及び右眼用の画面に前記ＯＳＤ画面をそれぞれ合成し、
前記表示制御ステップでは、前記画像合成ステップによる合成画像を左眼用及び右眼用の前記表示パネルに表示させる、
請求項５に記載の表示制御方法。
【発明の詳細な説明】
【技術分野】
【０００１】
本明細書で開示する技術は、映像の表示中に焼き付き現象の発生を防止する表示装置及び表示制御方法に係り、特に、ビデオ画面にＯＳＤ画面を重畳した映像の表示中に焼き付き現象の発生を防止する表示装置及び表示制御方法に関する。
【背景技術】
【０００２】
頭部に装着して映像を視聴する表示装置、すなわちヘッド・マウント・ディスプレイ（ＨＭＤ）が広く知られている。ヘッド・マウント・ディスプレイは、左右の眼毎に光学ユニットを持ち、また、ヘッドフォンと併用し、視覚及び聴覚を制御できるように構成されている。頭部に装着した際に外界を完全に遮るように構成すれば、視聴時の仮想現実感が増す。また、ヘッド・マウント・ディスプレイは、左右の眼に違う映像を映し出すことも可能であり、左右の眼に視差のある画像を表示すれば３Ｄ画像を提示することができる。
【０００３】
ヘッド・マウント・ディスプレイの左右の眼の表示部には、例えば液晶や有機ＥＬ（Ｅｌｅｃｔｒｏ− Ｌｕｍｉｎｅｓｃｅｎｃｅ）素子などからなる高解像度の表示パネルを用いることができる。また、光学系で適当な画角を設定するとともに、ヘッドフォンで多チャンネルを再現すれば、映画館で視聴するような臨場感を再現することができるであろう。
【０００４】
ここで、液晶や有機ＥＬ素子などで構成される表示パネルは、輝度差の大きな領域で焼き付き現象が発生し易くなることが、当業界で知られている。ＯＳＤ（Ｏｎ  Ｓｃｒｅｅｎ  Ｄｉｓｐｌａｙ）画面のような静止画をビデオ画面に重畳して描画すると、輝度差の大きな領域が存在するため、焼き付き現象の原因となる。
【０００５】
ヘッド・マウント・ディスプレイの場合、本体に装備できる操作ボタンなどの数に限界があり、ＯＳＤ画面を介したユーザー操作が必須となる。したがって、ヘッド・マウント・ディスプレイの表示デバイスにこの種の表示パネルを用いる場合も、ＯＳＤ画面を表示した際の焼き付き現象の防止を十分検討しなければならない。
【０００６】
メニューの表示に用いるＯＳＤ画面は、一般に、メニュー背景領域と、この背景領域に描画されたメニュー文言からなる。ＯＳＤ画面は、基本的に静止画であり、また、輝度差が大きくなりがちであることから、長時間表示すると焼き付き現象を発生する。
【０００７】
ビデオ画面自体は動画などのさまざまな映像ソースであることから、画素間の輝度差が変化するので、焼き付き現象はある程度軽減される。これに対し、ＯＳＤ画面は静止画であるから、焼き付き現象が発生し易い。メニューの背景領域と、メニューの文言を表示した領域との境界では、静止画素同士の大きな輝度差が長時間続くので、焼き付き現象が顕著である。メニューを表示する度に同じ文言を繰り返し表示することが多いため、とりわけメニューの背景領域とメニューの文言との境界部分では焼き付きが目立ち易い。
【０００８】
例えば、表示画面を構成する画素のうち均等に分散した画素のみを順次移動して黒表示として、画面全体の表示内容を常時判断することができる状態で残像現象を防止する液晶表示装置について提案がなされている（例えば、特許文献１を参照のこと）。
【０００９】
また、所定時間間隔でパネル全体の表示位置を所定距離だけ移動させることにより、同一画像を長時間表示した場合にも、焼き付きの視認を抑制する有機発光ディスプレイ装置について提案がなされている（例えば、特許文献２を参照のこと）。
【００１０】
また、ＯＳＤ表示の輝度を低下させる処理により焼き付きを防止する映像表示装置について提案がなされている（例えば、特許文献３を参照のこと）。
【００１１】
しかしながら、これらの従来技術はいずれも、メニューの背景領域とメニューの文言との境界部分に特化して焼き付き現象を防止するものではない。ＯＳＤ画面を重畳する前のビデオ画面自体は、動画などのさまざまな映像ソースであるため、本来焼き付き現象を発生し難い。それにも拘らず、ビデオ画面に黒表示する画素を挿入すると、ビデオ画面の画面が暗くなったり、画質が劣化したりする。また、所定時間間隔でパネル全体の表示位置を所定距離だけ移動させると、ビデオ画面の画質を劣化させ、製造元への苦情の原因にもなる。また、ＯＳＤ表示の輝度を低下させると、ＯＳＤ画面が見えづらくなる。
【先行技術文献】
【特許文献】
【００１２】
【特許文献１】特開２００９−１３４１８８号公報
【特許文献２】特開２００７−３０４３１８号公報
【特許文献３】特開２０１１−８１１７８号公報
【発明の概要】
【発明が解決しようとする課題】
【００１３】
本明細書で開示する技術の目的は、ビデオ画面にＯＳＤ画面を重畳した映像の表示中に焼き付き現象の発生を好適に防止することができる、優れた表示装置及び表示制御方法を提供することにある。
【課題を解決するための手段】
【００１４】
本願は、上記課題を参酌してなされたものであり、請求項１に記載の技術は、
表示パネルと、
入力映像に基づいて前記表示パネルに表示する映像信号を生成する映像信号生成部と、
前記表示パネルへのＯＳＤ画面の表示を制御するＯＳＤ画面表示制御部と、
前記映像信号生成部が生成した画面に前記ＯＳＤ画面を合成する画像合成部と、
前記画像合成部からの出力画像を前記表示パネルに表示させる表示制御部と、
を具備し、
前記ＯＳＤ画面表示制御部は、所定時間毎に前記ＯＳＤ画面の表示位置を所定の間隔で移動させる、
表示装置である。
【００１５】
本願の請求項２に記載の技術によれば、請求項１に記載の表示装置のＯＳＤ画面表示制御部は、前記表示パネルで表示する画面をリフレッシュする度に、前記ＯＳＤ画面の表示位置を特定の軌跡に基づいて１画素ずつ移動させるように構成されている。
【００１６】
本願の請求項３に記載の技術によれば、請求項１に記載の表示装置は、ユーザー操作部をさらに備え、前記ＯＳＤ画面表示制御部は、前記ユーザー操作部が操作されたことに応答して、前記ＯＳＤ画面の表示を制御するように構成されている。
【００１７】
本願の請求項４に記載の技術によれば、請求項１に記載の表示装置は、左眼用及び右眼用の前記表示パネルを備えている。そして、前記映像信号生成部は、入力映像に基づいて左眼用及び右眼用の前記表示パネルに表示する映像信号を生成し、前記画像合成部は、前記映像信号生成部が生成した左眼用及び右眼用の画面に前記ＯＳＤ画面をそれぞれ合成し、前記表示制御部は、前記画像合成部からの合成画像を左眼用及び右眼用の前記表示パネルに表示させるように構成されている。
【００１８】
また、本願の請求項５に記載の技術は、
入力映像に基づいて表示パネルに表示する映像信号を生成する映像信号生成ステップと、
前記表示パネルへのＯＳＤ画面の表示を制御するＯＳＤ画面表示制御ステップと、
前記映像信号生成ステップにおいて生成した画面に前記ＯＳＤ画面を合成する画像合成ステップと、
前記画像合成ステップで出力される画像を前記表示パネルに表示させる表示制御ステップと、
を有し、
前記ＯＳＤ画面表示制御ステップでは、所定時間毎に前記ＯＳＤ画面の表示位置を所定の間隔で移動させる、
表示制御方法である。
【００１９】
本願の請求項６に記載の技術によれば、請求項５に記載の表示制御方法は、ＯＳＤ画面表示制御ステップにおいて、前記表示パネルで表示する画面をリフレッシュする度に、前記ＯＳＤ画面の表示位置を特定の軌跡に基づいて１画素ずつ移動させるように構成されている。
【００２０】
本願の請求項７に記載の技術によれば、請求項５に記載の表示制御方法は、ユーザーから所定の操作が行なわれたことに応答して、前記ＯＳＤ画面表示制御ステップによる処理が開始されるように構成されている。
【００２１】
本願の請求項８に記載の技術によれば、請求項５に記載の表示制御方法において、表示パネルは、左眼用表示パネル及び右眼用表示パネルを含んでおり、前記映像信号生成ステップでは、入力映像に基づいて左眼用及び右眼用の前記表示パネルに表示する映像信号を生成し、前記画像合成ステップは、前記映像信号生成ステップにより生成した左眼用及び右眼用の画面に前記ＯＳＤ画面をそれぞれ合成し、前記表示制御ステップでは、前記画像合成ステップによる合成画像を左眼用及び右眼用の前記表示パネルに表示させるように構成されている。
【発明の効果】
【００２２】
本明細書で開示する技術によれば、ビデオ画面にＯＳＤ画面を重畳した映像の表示中に焼き付き現象の発生を好適に防止することができる、優れた表示装置及び表示制御方法を提供することができる。
【００２３】
本明細書で開示する技術によれば、ビデオ画面にＯＳＤ画面を重畳して表示する際に、ＯＳＤ画面を表示する位置を適宜移動させることにより、ＯＳＤ画面のメニュー背景領域や、ニューの背景領域とメニューの文言との境界部分における焼き付き現象の発生を防止することができる。
【００２４】
本明細書で開示する技術のさらに他の目的、特徴や利点は、後述する実施形態や添付する図面に基づくより詳細な説明によって明らかになるであろう。
【図面の簡単な説明】
【００２５】
【図１】図１は、ヘッド・マウント・ディスプレイを含む画像表示システムの構成を模式的に示した図である。
【図２】図２は、ヘッド・マウント・ディスプレイ１０の内部構成を模式的に示した図である。
【図３】図３は、表示パネル２２４、２２５にそれぞれ表示された左眼用映像と右眼用映像を両目で見たときに、ユーザーの脳内で融像される様子を模式的に示した図である。
【図４】図４は、ニュー背景領域にメニュー文言を描いたメニュー画面を重畳したビデオ画面を表示した表示パネルにおいて焼き付き現象が発生する様子を示した図である。
【図５】図５は、ＯＳＤ画面を表示する毎に、１画素ずつ移動させてＯＳＤ画面を表示する様子を模式的に示した図である。
【図６】図６は、ＯＳＤ画面の表示位置を移動させる軌跡の一例を示した図である。
【図７Ａ】図７Ａは、ＯＳＤ画面の表示位置を図６に示した軌跡に従って移動させた一例を示した図である。
【図７Ｂ】図７Ｂは、ＯＳＤ画面の表示位置を図６に示した軌跡に従って移動させた一例を示した図である。
【図８Ａ】図８Ａは、ＯＳＤ画面の表示位置を図６に示した軌跡に従って移動させた他の例を示した図である。
【図８Ｂ】図８Ｂは、ＯＳＤ画面の表示位置を図６に示した軌跡に従って移動させた他の例を示した図である。
【図９】図９は、輝度変化量のシミュレーション結果を、表示する度に１画素ずつＯＳＤ画面を移動させる場合とＯＳＤ画面を移動させない場合とで比較して示した図である。
【図１０】図１０は、各画素位置Ｎにおける隣接画素間の輝度差を、表示する度に１画素ずつＯＳＤ画面を移動させる場合とＯＳＤ画面を移動させない場合とで比較して示した図である。
【発明を実施するための形態】
【００２６】
以下、図面を参照しながら本明細書で開示する技術の実施形態について詳細に説明する。
【００２７】
図１には、ヘッド・マウント・ディスプレイを含む画像表示システムの構成を模式的に示している。図示のシステムは、ヘッド・マウント・ディスプレイ１０本体と、視聴コンテンツのソースとなるブルーレイ・ディスク再生装置２０と、ブルーレイ・ディスク再生装置２０の再生コンテンツの他の出力先となるハイビジョン・ディスプレイ（例えば、ＨＤＭＩ対応テレビ）３０と、ブルーレイ・ディスク再生装置２０から出力されるＡＶ信号の処理を行なうフロント・エンド・ボックス４０で構成される。
【００２８】
フロント・エンド・ボックス４０は、ブルーレイ・ディスク再生装置２０から出力されるＡＶ信号をＨＤＭＩ入力すると、例えば信号処理して、ＨＤＭＩ出力するＨＤＭＩリピーターに相当する。また、フロント・エンド・ボックス４０は、ブルーレイ・ディスク再生装置２０の出力先をヘッド・マウント・ディスプレイ１０又はハイビジョン・ディスプレイ３０のいずれかに切り替える２出力スイッチャーでもある。図示の例では、フロント・エンド・ボックス４０は２出力であるが、３以上の出力を有していてもよい。但し、フロント・エンド・ボックス４０は、ＡＶ信号の出力先を排他的とし、且つ、ヘッド・マウント・ディスプレイ１０への出力を最優先とする。
【００２９】
なお、ＨＤＭＩ（Ｈｉｇｈ−Ｄｅｆｉｎｉｔｉｏｎ  Ｍｕｔｌｉｍｅｄｉａ  Ｉｎｔｅｒｆａｃｅ）は、ＤＶＩ（Ｄｉｇｉｔａｌ  Ｖｉｓｕａｌ  Ｉｎｔｅｒｆａｃｅ）を基にし、物理層にＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）を用いた、主に音声と映像の伝送を用途としたディジタル家電向けのインターフェース規格である。本システムは、例えばＨＤＭＩ１．４に準拠する。
【００３０】
ブルーレイ・ディスク再生装置２０とフロント・エンド・ボックス４０間、並びに、フロント・エンド・ボックス４０とハイビジョン・ディスプレイ３０間は、それぞれＨＤＭＩケーブルで接続されている。フロント・エンド・ボックス４０とヘッド・マウント・ディスプレイ１０間も、ＨＤＭＩケーブルで接続するように構成することも可能であるが、その他の仕様のケーブルを用いてＡＶ信号をシリアル転送するようにしてもよい。但し、フロント・エンド・ボックス４０とヘッド・マウント・ディスプレイ１０間を接続するケーブル１本で、ＡＶ信号と電力を供給するものとし、ヘッド・マウント・ディスプレイ１０はこのケーブルを介して駆動電力も得ることができる。
【００３１】
ヘッド・マウント・ディスプレイ１０は、左眼用及び右眼用の独立した表示部を備えている。各表示部は、例えば有機ＥＬ素子を用いている。また、左右の各表示部は、低歪みで且つ高解像度の広視野角光学系を装備している。
【００３２】
図２には、ヘッド・マウント・ディスプレイ１０の内部構成を模式的に示している。図示のヘッド・マウント・ディスプレイは、ＵＩ（Ｕｓｅｒ  Ｉｎｔｅｒｆａｃｅ）操作部２０１と、映像信号入力部２０２と、中央制御部２１０と、表示制御部２２０を備えている。
【００３３】
映像信号入力部２０２は、ブルーレイ・ディスク再生装置２０から再生出力される映像信号を、フロント・エンド・ボックス４０経由で入力する。
【００３４】
中央制御部２１０内では、左右映像信号生成部２１１が、入力映像信号から、左眼用映像信号及び右眼用映像信号を混合した左右映像信号を生成して、ビデオ・バッファー２１２に書き込む。
【００３５】
また、ＵＩ操作部２０１は、ボタンなどを介したユーザーの操作を受け容れる。中央制御部２１０内では、ＯＳＤ制御部２１３が、ＵＩ操作に応じて、該当するメニュー用の画像データをビットマップ・バッファー２１４から読み出して、ＯＳＤ画面を生成する。また、ＯＳＤ表示位置制御部２１５は、ＯＳＤ画面の表示位置を制御し、ＯＳＤ描画部２１６はＯＳＤバッファー２１７の該当する位置にＯＳＤ画面の画像データを書き込む。ＯＳＤ画面は、例えば、メニュー背景領域とメニュー文言からなるメニュー画面である。
【００３６】
そして、画像合成部２１８は、ビデオ・バッファー２１２に書き込まれた画像データ上に、ＯＳＤバッファー２１７に書き込まれたＯＳＤ画面を、ＯＤＳ表示位置制御部２１５が指定する位置に従って重畳して、表示制御部２２０に出力する。
【００３７】
表示制御部２２０内では、まず、左右映像信号分離部２２１が入力した左右映像信号を左眼用映像信号と右眼用映像信号に分離する。そして、左眼用表示駆動制御部２２２は、左眼用映像信号の左眼用表示パネル２２４への描画を制御する。また、右眼用表示駆動制御部２２３は、右眼用映像信号の右眼用表示パネル２２５への描画を制御する。表示パネル２２４、２２５は、例えば有機ＥＬ素子や液晶などの表示デバイスからなる。また、左眼用表示パネル２２４並びに右眼用表示パネル２２５には、それぞれ映像を拡大するレンズ・ブロックが装備されている。左右のレンズ・ブロックは、それぞれ複数の光学レンズの組み合わせからなり、表示パネル２２４、２２５が表示する映像を光学処理する。表示パネル２２４、２２５の発光面に表示された映像は、レンズ・ブロックを通過する際に拡大され、ユーザーの網膜に大きな虚像を結像する。そして、観察するユーザーの脳内では左眼用映像と右眼用映像が融像される。
【００３８】
図３には、表示パネル２２４、２２５にそれぞれ表示された左眼用映像と右眼用映像を両目で見たときに、ユーザーの脳内で融像される様子を模式的に示している。図示の例では、左眼用映像と右眼用映像はともに、ビデオ画面の中央付近にＯＳＤ画面が重畳されている。ＯＳＤ画面は、メニュー背景領域にメニュー文言（ＴＥＸＴ）を描いたメニュー画面である。両眼で見た状態では、ビデオ画面とともに、メニュー画面も融像される。
【００３９】
表示パネル２２４、２２５は、例えば有機ＥＬ素子や液晶などの表示デバイスからなるが、この種の表示デバイスは輝度差の大きな領域で焼き付き現象が発生し易いという問題がある。例えば、ＯＳＤ画面のような静止画をビデオ画面に重畳して描画すると、輝度差の大きな領域が存在するため、焼き付き現象の原因となる。とりわけ、ＯＳＤ画面がメニュー背景領域にメニュー文言を描いたメニュー画面の場合、メニューの背景領域と、メニューの文言を表示した領域との境界では、静止画素同士の大きな輝度差が長時間続くことになり、焼き付き現象が顕著に発生することが懸念される。他方、ＯＳＤ画面が重畳される前のビデオ画面自体は動画などのさまざまな映像ソースであることから、画素間の輝度差が変化するので、焼き付き現象はある程度軽減される。
【００４０】
図４には、メニュー背景領域にメニュー文言を描いたメニュー画面を重畳したビデオ画面を表示した表示パネルにおいて焼き付き現象が発生する様子を示している。同図右に示すように、メニュー背景領域とメニュー文言の境界において、焼き付き現象が顕著に観察される。
【００４１】
そこで、本明細書で開示する技術では、ビデオ画面にＯＳＤ画面を重畳して表示する際に、ＯＳＤ画面を表示する位置を適宜移動させることにより、ＯＳＤ画面のメニュー背景領域や、ニューの背景領域とメニューの文言との境界部分における焼き付き現象の発生を防止するようにしている。例えば、ＯＳＤ画面を表示する毎に、１画素ずつ移動させてＯＳＤ画面を表示する。図５には、ＯＳＤ画面を表示する毎に、１画素ずつ移動させてＯＳＤ画面を表示する様子を模式的に示している。ＯＳＤ画面の表示位置の移動は、ＯＳＤ表示位置制御部２１５が指示することにより実現できる。
【００４２】
焼き付きの輪郭がぼやけ、目立たなくするために、表示パネルに表示される画像全体を周期的に偏位させるオービット処理は知られている（例えば、特許文献２を参照のこと）。しかしながら、以下の理由により、画面全体を移動させるのは不適切である、と本出願人は考えている。
【００４３】
ＯＳＤ画面は静止画で輝度差の大きな領域が存在するため、焼き付き現象の原因となる一方、ＯＳＤ画面を重畳する前のビデオ画面自体は、動画などのさまざまな映像ソースであるため、本来焼き付き現象を発生し難い。それにも拘らず、画面全体を移動させると、ビデオ画面の画質を劣化させ、製造元への苦情の原因にもなる。また、ＯＳＤ画面はＵＩ操作部２０１への操作に応じて表示パネル２２４、２２５に出現するが、常時表示される訳ではない。ＯＳＤ画面の非表示状態で画面全体を移動させると、いたずらにビデオ画面の画質を劣化させてしまう結果となる。
【００４４】
ＯＳＤ画面は、ＵＩ操作部２０１への操作に応じて表示パネル２２４、２２５に出現する。その後、ＯＳＤ画面が出現している間は、画面をリフレッシュする度に、ＯＳＤ画面の表示位置を特定の軌跡に基づいて１画素ずつ移動させる。図６には、ＯＳＤ画面の表示位置を移動させる軌跡の一例を示している。同図では、ＯＳＤ画面の初期位置を座標（０，０）とし、この初期位置からのオフセット量として軌跡を示している。1からスタートし、2→3→4→5→6→1→4→5→6→7→8→1→6→7→8→9→2→1→8→9→2→3→4という軌跡をたどり終えると、最初の1に戻る。但し、本明細書で開示する技術の要旨は、特定の軌跡に限定されるものではない。
【００４５】
図７Ａ及び図７Ｂには、ＯＳＤ画面の表示位置を図６に示した軌跡に従って移動させた一例を示している。また、図８Ａ及び図８Ｂには、ＯＳＤ画面の表示位置を図６に示した軌跡に従って移動させた他の例を示している。
【００４６】
図９には、輝度変化量のシミュレーション結果を、表示する度に１画素ずつＯＳＤ画面を移動させる場合（焼き付き防止あり）とＯＳＤ画面を移動させない場合（焼き付き防止なし）とで比較して示している。同図において、横軸を画素位置ｎとし、縦軸を各画素位置ｎにおける輝度ｆｌ（ｎ）としている。但し、ｆｌは、厳密には輝度そのものではなく、輝度に比例する関数とする。このシミュレーション結果から、上記のＯＳＤ画面の移動を行なうことにより、隣接した画素間の輝度劣化を９６．７％改善できることが分かった。
【００４７】
また、図１０には、各画素位置Ｎにおける隣接画素間の輝度差のシミュレーション結果を、表示する度に１画素ずつＯＳＤ画面を移動させる場合（焼き付き防止あり）とＯＳＤ画面を移動させない場合（焼き付き防止なし）とで比較して示している。同図において、横軸を画素位置Ｎとし、縦軸を隣接画素間の輝度差Ｍとしている。輝度差Ｍは、Ｍ＝ｆｌ（Ｎ＋１）−ｆｌ（Ｎ）と定義される。このシミュレーション結果から、上記のＯＳＤ画面の移動を行なうことにより、隣接画素間の輝度差が著しく低減され、焼き付き現象の発生を防止できることが分かる。
【００４８】
なお、上記のシミュレーションは、温度一定、電流一定（電流制御型ディスプレイ）、ＯＳＤ表示時間間隔ｄＴは一定とする。また、ｆｌ（ｎ）は、表示パネル２２４、２２５はｄＴ時間だけ表示すると１だけ劣化すると仮定した、輝度に比例する値を出力する関数である。
【００４９】
なお、本明細書の開示の技術は、以下のような構成をとることも可能である。
（１）表示パネルと、入力映像に基づいて前記表示パネルに表示する映像信号を生成する映像信号生成部と、前記表示パネルへのＯＳＤ画面の表示を制御するＯＳＤ画面表示制御部と、前記映像信号生成部が生成した画面に前記ＯＳＤ画面を合成する画像合成部と、前記画像合成部からの出力画像を前記表示パネルに表示させる表示制御部を具備し、前記ＯＳＤ画面表示制御部は、所定時間毎に前記ＯＳＤ画面の表示位置を所定の間隔で移動させる、表示装置。
（２）前記ＯＳＤ画面表示制御部は、前記表示パネルで表示する画面をリフレッシュする度に、前記ＯＳＤ画面の表示位置を特定の軌跡に基づいて１画素ずつ移動させる、上記（１）に記載の表示装置。
（３）ユーザー操作部をさらに備え、前記ＯＳＤ画面表示制御部は、前記ユーザー操作部が操作されたことに応答して、前記ＯＳＤ画面の表示を制御する、上記（１）に記載の表示装置。
（４）左眼用及び右眼用の前記表示パネルを備え、前記映像信号生成部は、入力映像に基づいて左眼用及び右眼用の前記表示パネルに表示する映像信号を生成し、前記画像合成部は、前記映像信号生成部が生成した左眼用及び右眼用の画面に前記ＯＳＤ画面をそれぞれ合成し、前記表示制御部は、前記画像合成部からの合成画像を左眼用及び右眼用の前記表示パネルに表示させる、上記（１）に記載の表示装置。
（５）入力映像に基づいて表示パネルに表示する映像信号を生成する映像信号生成ステップと、前記表示パネルへのＯＳＤ画面の表示を制御するＯＳＤ画面表示制御ステップと、前記映像信号生成ステップにおいて生成した画面に前記ＯＳＤ画面を合成する画像合成ステップと、前記画像合成ステップで出力される画像を前記表示パネルに表示させる表示制御ステップを有し、前記ＯＳＤ画面表示制御ステップでは、所定時間毎に前記ＯＳＤ画面の表示位置を所定の間隔で移動させる、表示制御方法。
（６）前記ＯＳＤ画面表示制御ステップでは、前記表示パネルで表示する画面をリフレッシュする度に、前記ＯＳＤ画面の表示位置を特定の軌跡に基づいて１画素ずつ移動させる、上記（５）に記載の表示制御方法。
（７）ユーザーから所定の操作が行なわれたことに応答して、前記ＯＳＤ画面表示制御ステップによる処理が開始される、上記（５）に記載の表示制御方法。
（８）前記表示パネルは、左眼用表示パネル及び右眼用表示パネルを含み、前記映像信号生成ステップでは、入力映像に基づいて左眼用及び右眼用の前記表示パネルに表示する映像信号を生成し、前記画像合成ステップは、前記映像信号生成ステップにより生成した左眼用及び右眼用の画面に前記ＯＳＤ画面をそれぞれ合成し、前記表示制御ステップでは、前記画像合成ステップによる合成画像を左眼用及び右眼用の前記表示パネルに表示させる、上記（５）に記載の表示制御方法。
【産業上の利用可能性】
【００５０】
以上、特定の実施形態を参照しながら、本明細書で開示する技術について詳細に説明してきた。しかしながら、本明細書で開示する技術の要旨を逸脱しない範囲で当業者が該実施形態の修正や代用を成し得ることは自明である。
【００５１】
本明細書では、本明細書で開示する技術を主にヘッド・マウント・ディスプレイに適用した実施形態について説明してきたが、本明細書で開示する技術の要旨はこれに限定されるものではない。液晶や有機ＥＦ素子などの焼き付き現象を発生し易い表示デバイスを用いて構成されるさまざまなタイプの表示装置に、同様に本明細書で開示する技術を適用することができる。
【００５２】
要するに、例示という形態により本明細書で開示する技術について説明してきたのであり、本明細書の記載内容を限定的に解釈するべきではない。本明細書で開示する技術の要旨を判断するためには、特許請求の範囲を参酌すべきである。
【符号の説明】
【００５３】
１０…ヘッド・マウント・ディスプレイ
２０…ブルーレイ・ディスク再生装置
３０…ハイビジョン・ディスプレイ
４０…フロント・エンド・ボックス
２０１…ＵＩ操作部、２０２…映像信号入力部
２１０…中央制御部、２１１…左右映像信号生成部
２１２…ビデオ・バッファー、２１３…ＯＳＤ制御部
２１４…ビットマップ・バッファー、２１５…ＯＳＤ表示位置制御部
２１６…ＯＳＤ描画部、２１７…ＯＳＤバッファー
２１８…画像合成部
２２０…表示制御部、２２１…左右映像信号分離部
２２２…左眼用表示駆動制御部、２２３…右眼用表示駆動制御部
２２４…左眼用表示パネル、２２５…右眼用表示パネル
【図２】
2013044913.tif 000003
【図９】
2013044913.tif 000004
【図１０】
2013044913.tif 000005
【図１】
2013044913.tif 000006
【図３】
2013044913.tif 000007
【図４】
2013044913.tif 000008
【図５】
2013044913.tif 000009
【図６】
2013044913.tif 000010
【図７Ａ】
2013044913.tif 000011
【図７Ｂ】
2013044913.tif 000012
【図８Ａ】
2013044913.tif 000013
【図８Ｂ】
2013044913.tif 000014